(57)【要約】【課題】コンクリート面の上や室内に設置できる簡易な構造のものであって、汎用性が有り、季節、気候条件、育苗条件などに応じて被覆シートを容易に取り換え可能な育苗ハウスを提供する。【解決手段】この育苗ハウス１は、床部材本体２０と複数の脚部２１とを有する床部材２と、床部材本体２０の上面側に湾曲形状を成して両端部が取り付けられ、床部材本体２０の一方向に並べて設けられる複数の支柱３と、複数の支柱３のうち前記一方向における両端に位置する各々の支柱３Ａ、３Ａ’の湾曲形状の内側に装着されて端壁を形成する端壁形成被覆シート４と、前記一方向に伸びる棒体５１を側壁形成被覆シート本体５０の両端部に有し、複数の支柱３の湾曲形状の外側に側壁形成被覆シート本体５０が沿うように取り付けられて側壁を形成する側壁形成被覆シート５と、を備える。【選択図】図１
2015019630.tif 000002
【特許請求の範囲】
【請求項１】
床部材本体と複数の脚部とを有する床部材と、
前記床部材本体の上面側に湾曲形状を成して両端部が取り付けられ、前記床部材本体の一方向に並べて設けられる複数の支柱と、
該複数の支柱のうち前記一方向における両端に位置する各々の支柱の湾曲形状の内側に装着されて端壁を形成する端壁形成被覆シートと、
前記一方向に伸びる棒体を側壁形成被覆シート本体の両端部に有し、前記複数の支柱の湾曲形状の外側に該側壁形成被覆シート本体が沿うように取り付けられて側壁を形成する側壁形成被覆シートと、
を備えることを特徴とする育苗ハウス。
【発明の詳細な説明】
【技術分野】
【０００１】
本発明は、育苗ハウスに関する。
【背景技術】
【０００２】
育苗ハウスの中には、簡易な構造にしてコンクリート面の上や室内に設置できるものが知られている。例えば、特許文献１には、保水シートや苗床土などを入れた植栽容器と、格子枠に鉄線（支柱）を半円のトンネル状にして複数固定して、その上にナイロン系ネット（被覆シート）を形成した防虫ネットハウスと、を有し、植栽容器の開口部縁周りの上に防虫ネットハウスを開閉自在となるように兆番と止金具で固定したネット付ハウスが記載されている。
【先行技術文献】
【特許文献】
【０００３】
【特許文献１】特開２０１０−１９３７７１号公報
【発明の概要】
【発明が解決しようとする課題】
【０００４】
しかし、特許文献１に記載のネット付ハウスは、防虫ネットハウスが１つの植栽容器の専用になっており、汎用性に欠けるところがある。また、冬場等の低温時にはビニール袋体で全体を覆う必要もある。
【０００５】
本発明は、係る事由に鑑みてなされたものであり、その目的は、コンクリート面の上や室内に設置できる簡易な構造のものであって、汎用性が有り、季節、気候条件、育苗条件などに応じて被覆シートを容易に取り換え可能な育苗ハウスを提供することにある。
【課題を解決するための手段】
【０００６】
上記目的を達成するために、請求項１に記載の育苗ハウスは、床部材本体と複数の脚部とを有する床部材と、前記床部材本体の上面側に湾曲形状を成して両端部が取り付けられ、前記床部材本体の一方向に並べて設けられる複数の支柱と、該複数の支柱のうち前記一方向における両端に位置する各々の支柱の湾曲形状の内側に装着されて端壁を形成する端壁形成被覆シートと、前記一方向に伸びる棒体を側壁形成被覆シート本体の両端部に有し、前記複数の支柱の湾曲形状の外側に該側壁形成被覆シート本体が沿うように取り付けられて側壁を形成する側壁形成被覆シートと、を備えることを特徴とする。
【発明の効果】
【０００７】
本発明の育苗ハウスによれば、コンクリート面の上や室内に設置できる簡易な構造のものであり、苗を植える植栽容器を適宜選択することができて汎用性があり、季節、気候条件、育苗条件などに応じて側壁形成被覆シートを容易に取り換え可能である。
【図面の簡単な説明】
【０００８】
【図１】本発明の実施形態に係る育苗ハウスを示す斜視図である。
【図２】同上の育苗ハウスの床部材の斜視図である。
【図３】同上の育苗ハウスの支柱の例の正面図である。
【図４】同上の育苗ハウスの支柱に取り付けられた端壁形成被覆シートを示す正面図である。
【図５】同上の育苗ハウスの側壁形成被覆シートが広がった状態の斜視図である。
【図６】同上の育苗ハウスの側壁形成被覆シートの取り付けを示す斜視図である。
【図７】同上の育苗ハウスの実施例を示す写真である。
【発明を実施するための形態】
【０００９】
以下、本発明を実施するための形態を説明する。本発明の実施形態に係る育苗ハウス１は、図１に示すように、床部材２と複数の支柱３と端壁形成被覆シート４と側壁形成被覆シート５とを備えている。
【００１０】
床部材２は、図２に示すように、床部材本体２０と複数の脚部２１とを有している。床部材本体２０は、平面視略四辺形であり、この例では、平面視略長方形としているが、平面視略正方形であってもよい。複数の脚部２１は、床部材本体２０の下面側に設けられている。床部材本体２０と脚部２１は、木材を用いることができる。床部材本体２０の上面には、両側縁部に、床部材本体２０の一方向に支柱差し込み穴２０ａが複数個形成されている。なお、床部材本体２０は、例えば、一辺が数十ｃｍ〜数ｍの大きさのもの、脚部２１は、例えば、数十ｃｍの高さのものが可能である。
【００１１】
各々の支柱３は、床部材本体２０の上面側に湾曲形状を成して両端部が取り付けられている。具体的には、支柱３の両端部３ａ、３ａ’（図３参照。）が、床部材本体２０の支柱差し込み穴２０ａに差し込まれることによって取り付けられる。取り付けられた支柱３は、床部材本体２０の一方向に並べて設けられることになる。また、支柱３は、元々直線状のものが、支柱差し込み穴２０ａに差し込まれるときに曲げられて湾曲形状を成すようになったり、元々湾曲形状（円弧状又は図３に示すような逆Ｕ字状）のものがそのまま支柱差し込み穴２０ａに差し込まれたりしたものである。また、支柱３の両端部３ａ、３ａ’の床部材本体２０への取り付けは、支柱差し込み穴２０ａへの差し込みによらずとも、取り付け具などを用いて行うことも可能である。
【００１２】
端壁形成被覆シート４は、複数の支柱３のうち、床部材本体２０の前記一方向における両端に位置する支柱（図１において符号３Ａ、３Ａ’で示す。）に、図４に示すように、その湾曲形状の内側に装着されている。この端壁形成被覆シート４は、育苗ハウス１の端壁を形成することになる。端壁形成被覆シート４は、溶着又は縫製又は接着などで支柱３Ａ、３Ａ’に装着されている。端壁形成被覆シート４は、一般的な保温シートや遮光シートなどの材質を用いることができる。
【００１３】
側壁形成被覆シート５は、図５に示すように、側壁形成被覆シート本体５０の両端部に棒体５１が設けられたものである。側壁形成被覆シート本体５０は、四辺形状の柔軟な材質のものであり、季節、気候条件、育苗条件などに応じて、一般的な保温シート、遮光シート、防虫ネットなどを用いることができる。棒体５１は、硬質のものである。棒体５１は、側壁形成被覆シート本体５０の両端部に円筒部を形成してそれに挿入したり側壁形成被覆シート本体５０の両端部に紐等で接続したりして、側壁形成被覆シート本体５０に装着することができる。
【００１４】
側壁形成被覆シート５は、図６に示すように、端壁形成被覆シート４が支柱３Ａ、３Ａ’に装着され、支柱３Ａ、３Ａ’を含む複数の支柱３が床部材２に取り付けられた状態のものに対して取り付けられる。このとき、棒体５１が重りとなって、風が強い日などでも容易に、複数の支柱３を側壁形成被覆シート５で被覆する作業ができる。そうすると、図１に示したように、棒体５１が床部材本体２０の前記一方向に伸び、側壁形成被覆シート本体５０が複数の支柱３の湾曲形状の外側に沿うように、側壁形成被覆シート５が取り付けられることになる。そして、側壁形成被覆シート５は、育苗ハウス１の側壁を形成することになる。
【００１５】
側壁形成被覆シート本体５０は、トンネルパッカーやバネ式クリップなどの固定具６Ａを用いて、隙間が生じないようにして支柱３Ａ、３Ａ’に固定し、また、その他の支柱３に固定することができる。また、床部材本体２０の前記一方向に延伸した状態の棒体５１は、バネ式クリップなどの固定具６Ｂを用いて、側壁形成被覆シート５と床部材本体２０の間に隙間が生じないようにして、床部材２（床部材本体２０又は脚部２１）に固定することができる。
【００１６】
このように、本発明の実施形態に係る育苗ハウス１は、簡易な構造のものである。育苗ハウス１は、図７に示す実施例のように、苗を植える植栽容器Ｐを床部材本体２０の上面に置き、その周囲を端壁形成被覆シート４と側壁形成被覆シート５で被覆した状態で苗を育てることができる。植栽容器Ｐは、苗に応じた適切なもの（例えば、育苗箱、プランター、セルトレイ、苗ポットなど）を適宜選択することができる。よって、育苗ハウス１は汎用性があるものとなっている。なお、図７に示す実施例では支柱３の数は３個としているが、支柱３の数は、床部材２や植栽容器Ｐの大きさなどに応じて適宜選択する。
【００１７】
育苗ハウス１は、床部材２が平面視略四辺形の床部材本体２０と、床部材本体２０の下面側に設けられた複数の脚部２１、２１、…を有した構造であるので、コンクリート面の上や室内に設置可能である。育苗ハウス１は、直接地面と接していないため、風通しが良く、ナメクジやだんご虫等の害虫の発生を抑えられ、発芽した苗に対するこれらによる被害を極めて少なくすることができる。また、育苗ハウス１は、気象条件（例えば、暴風時など）に応じて移動が容易である。脚部２１にブレーキ付きキャスターを付けて更に移動し易くすることも可能である。
【００１８】
育苗ハウス１は、側壁形成被覆シート５を、端壁形成被覆シート４を有する支柱３Ａ、３Ａ’、その他の支柱３、及び床部材２から、固定具６Ａ、６Ｂによる固定を解くことで、簡単に分離できる。そのため、季節、気候条件、育苗条件などに応じて側壁形成被覆シート５を容易に取り換え可能である。また、側壁形成被覆シート５の一端部は、棒体５１によって持ち上げ易く、水やりなどが容易にできる。
【００１９】
以上、本発明の実施形態に係る育苗ハウスについて説明したが、本発明は、実施形態に記載したものに限られることなく、特許請求の範囲に記載した事項の範囲内でのさまざまな設計変更が可能である。
【符号の説明】
【００２０】
１    育苗ハウス
２    床部材
２０  床部材本体
２１  脚部
３    支柱
３ａ、３ａ’  支柱の端部
３Ａ、３Ａ’  床部材本体の一方向における両端に位置する支柱
４    端壁形成被覆シート
５    側壁形成被覆シート
５０  側壁形成被覆シート本体
５１  棒体
【図１】
2015019630.tif 000003
【図２】
2015019630.tif 000004
【図３】
2015019630.tif 000005
【図４】
2015019630.tif 000006
【図５】
2015019630.tif 000007
【図６】
2015019630.tif 000008
【図７】
2015019630.tif 000009